(57)【要約】【課題】足先を対象とするマッサージ機において、足の甲の部分をマッサージする機能を付加してマッサージの効能を一層高めたマッサージ機を提供する。【解決手段】マッサージ機１は、周期的に接近と離反を繰り返す１対のマッサージプレート７により被施療者の足先を両側から圧迫する。１対のマッサージプレート７の上部間に弾性ストラップ１３が張り渡される。弾性ストラップ１３は、１対のマッサージプレート７の接近時、下方に凸に湾曲して足先を甲の側から圧迫する。１対のマッサージプレート７は、水平回転軸６に嵌合する１対の軸受にそれぞれ取り付けられ、１対の軸受のマッサージプレート取付面がそれぞれ水平回転軸６の軸線に対し傾斜していることにより、水平回転軸６の回転によって、上部同士が接近と離反を繰り返す動きを与えられる。【選択図】図４
2012120656.tif 000002
【特許請求の範囲】
【請求項１】
周期的に接近と離反を繰り返す１対のマッサージプレートにより被施療者の足先を両側から圧迫するマッサージ機において、
前記１対のマッサージプレートの上部間に弾性ストラップが張り渡され、
前記弾性ストラップは、前記１対のマッサージプレートの接近時、下方に凸に湾曲して前記足先を甲の側から圧迫することを特徴とするマッサージ機。
【請求項２】
前記１対のマッサージプレートは、水平回転軸に嵌合する１対の軸受にそれぞれ取り付けられ、前記１対の軸受のマッサージプレート取付面がそれぞれ前記水平回転軸の軸線に対し傾斜していることにより、前記水平回転軸の回転によって、上部同士が接近と離反を繰り返す動きを与えられることを特徴とする請求項１に記載のマッサージ機。
【請求項３】
前記水平回転軸は前記足先を支持するフットレストの一部を構成するとともに、前記足先を足裏側から刺激する指圧部を備えていることを特徴とする請求項２に記載のマッサージ機。
【請求項４】
当該マッサージ機の筐体に、上方から前記足先を挿入する溝が形成されるとともに、前記溝の開口部と前記１対のマッサージプレートの縁部の間に、常時緊張状態に置かれる伸縮可能なシールドウェブが張り渡されることを特徴とする請求項１から３のいずれか１項に記載のマッサージ機。
【請求項５】
前記弾性ストラップの足先圧迫部に指圧突起が形成されることを特徴とする請求項１から４のいずれか１項に記載のマッサージ機。
【発明の詳細な説明】
【技術分野】
【０００１】
本発明はマッサージ機、特に足先を対象とするマッサージ機に関する。
【背景技術】
【０００２】
被施療者の身体に指圧（厳密に言えば「指圧に相当する圧力」であるが、本明細書ではこれを「指圧」と称するものとする）や振動、圧迫、たたき、もみほぐしなどの刺激を与えるマッサージ機は様々なタイプのものが開発され、使用されている。その中には、膝より下でくるぶしより上の脚部を施療対象としたり、さらにはくるぶしから先の足先を施療対象としたりするものもある。下肢を施療対象とするマッサージ機の例を特許文献１、２に見ることができる。
【０００３】
特許文献１に記載されたマッサージ機は、下肢の長さ方向に長い左右一対のマッサージ部材を、その長手方向が互いに逆向きに傾斜した状態で接近離反させることにより、下肢を広範囲にマッサージする。
【０００４】
特許文献２に記載されたマッサージ機は、回転軸に対して傾斜する一対の揉みローラの揺動により脚部や腰部を揉みほぐす。
【先行技術文献】
【特許文献】
【０００５】
【特許文献１】特開２００１−２８６５２０号公報（国際特許分類：Ａ６１Ｈ７／００）
【特許文献２】特開平５−４２１８７号公報（国際特許分類：Ａ６１Ｈ１５／００）
【発明の概要】
【発明が解決しようとする課題】
【０００６】
本発明は、足先を対象とするマッサージ機において、足の甲の部分をマッサージする機能を付加してマッサージの効能を一層高めたマッサージ機を提供することを目的とする。
【課題を解決するための手段】
【０００７】
本発明の好ましい実施形態によれば、マッサージ機は、周期的に接近と離反を繰り返す１対のマッサージプレートにより被施療者の足先を両側から圧迫するものであり、前記１対のマッサージプレートの上部間に弾性ストラップが張り渡され、前記弾性ストラップは、前記１対のマッサージプレートの接近時、下方に凸に湾曲して前記足先を甲の側から圧迫する。
【０００８】
本発明の好ましい実施形態によれば、上記構成のマッサージ機において、前記１対のマッサージプレートは、水平回転軸に嵌合する１対の軸受にそれぞれ取り付けられ、前記１対の軸受のマッサージプレート取付面がそれぞれ前記水平回転軸の軸線に対し傾斜していることにより、前記水平回転軸の回転によって、上部同士が接近と離反を繰り返す動きを与えられる。
【０００９】
本発明の好ましい実施形態によれば、上記構成のマッサージ機において、前記水平回転軸は前記足先を支持するフットレストの一部を構成するとともに、前記足先を足裏側から刺激する指圧部を備えている。
【００１０】
本発明の好ましい実施形態によれば、上記構成のマッサージ機において、当該マッサージ機の筐体に、上方から前記足先を挿入する溝が形成されるとともに、前記溝の開口部と前記１対のマッサージプレートの縁部の間に、常時緊張状態に置かれる伸縮可能なシールドウェブが張り渡される。
【００１１】
本発明の好ましい実施形態によれば、上記構成のマッサージ機において、前記弾性ストラップの足先圧迫部に指圧突起が形成される。
【発明の効果】
【００１２】
本発明によると、周期的に接近と離反を繰り返す１対のマッサージプレートが被施療者の足先を両側から圧迫する際、マッサージプレートの上部間に張り渡された弾性ストラップが下方に凸に湾曲して足先を甲の側から圧迫するから、足の甲に対するマッサージ効果も得られ、マッサージの効能が一層高まる。
【図面の簡単な説明】
【００１３】
【図１】本発明の実施形態に係るマッサージ機の斜視図である。
【図２】図１のマッサージ機に足先を挿入した状態を示す断面図である。
【図３】図１のマッサージ機に足先を挿入した状態を示す断面図であっって、図２と直角の方向を断面方向としたものである。
【図４】図３と同様の断面図で、図３とは異なる状態を示すものである。
【図５】マッサージプレートの動きを説明する第１の説明図である。
【図６】マッサージプレートの動きを説明する第２の説明図である。
【図７】マッサージプレートの動きを説明する第３の説明図である。
【図８】マッサージプレートの動きを説明する第４の説明図である。
【発明を実施するための形態】
【００１４】
本発明の実施形態を図１から図８までの図に基づき説明する。マッサージ機１はくるぶしから先の足先のマッサージを行うべく設計されたものであり、床の上に置かれる筐体２を有する。筐体２には、椅子に腰掛けた被施療者が下肢の中でくるぶしから先の足先の部分を上方から挿入する左右１対の溝３が形成されている。溝３の底部は足先を支えるフットレスト４となる。筐体２の天面には、左右の溝３の間の箇所に操作パネル部５が形成されている。
【００１５】
フットレスト４には水平回転軸６が配置される。水平回転軸６は左右のフットレスト４に共通のものであり、図示しないモータがこれを回転させる。
【００１６】
溝３の両側には左右１対のマッサージプレート７が配置される。マッサージプレート７は、水平回転軸６に嵌合する１対の軸受（図示せず）の一方ずつに取り付けられる。円周面からなる軸受のマッサージプレート取付面はそれぞれ水平回転軸６の軸線に対し傾斜している。軸受を水平回転軸６と共に回転させる一方で、マッサージプレート７の方は水平回転軸６に追随して回転しないようにしておけば、１対のマッサージプレート７には、その上部同士が周期的に接近と離反を繰り返す動きが生じる。このメカニズムは特許文献１、２に記載されたメカニズムと同様のものである。
【００１７】
マッサージプレート７の下端からはロッド８が突出し、筐体２の内底面にはロッド８を受けるガイド９が固定される。ガイド９は左右方向に延びる溝でロッド８を受けている。この構造によりマッサージプレート７は、水平回転軸６に追随して回転することはできず、ただ左右に揺動して、マッサージプレート７、７の上部同士が接近、離反を繰り返す。
【００１８】
本明細書では、１対のマッサージプレート７の上部同士が接近する動きを「接近」と称し、１対のマッサージプレート７の上部同士が離反する動きを「離反」と称するものとする。１対のマッサージプレート７は接近時に足先を左右両側から圧迫し、これが足先に対するマッサージ効果を生む。足先の圧迫は図示しないクッション部材を介して行われる。
【００１９】
水平回転軸６はフットレスト４の箇所（１対のマッサージプレート７の間の箇所）が大径部６ａとなっており、この大径部６ａがフットレスト４の一部を構成する。大径部６ａは水平回転軸６に別途取り付けられたものであり、足先を足裏側から刺激する指圧部１０が設けられている。指圧部１０は大径部６ａに回転自在に取り付けられた１対のローラ１１からなる。ローラ１１は水平回転軸６の軸線に対し点対称をなすように配置されており、水平回転軸６の軸線の回りを公転し、足先の足裏部に接触すれば自転する。大径部６ａはフットレスト４で露出状態になっているのではなく、フットレスト４の底部を覆う布帛製のカバー２０がその上にかかっており、このカバー２０を介して足裏部とローラ１１の接触が生じる形になっている。カバー２０は、溝３の底部のみならず、溝３の左右両側も覆っており、マッサージプレート７は、前記図示しないクッション部材及びカバー２０を介して足先を両側から圧迫する。なお図２〜４ではカバー２０は図示を省略してある。
【００２０】
溝３の開口部とマッサージプレート７の縁部の間には、ゴムやある種の合成樹脂のような伸縮可能な物質からなるシート、伸縮可能な繊維で織った布、あるいは伸縮可能な繊維で編んだニット生地のような、伸縮可能な素材からなるシールドウェブ１２が張り渡される。シールドウェブ１２は、図３のようにマッサージプレート７が離反するときも、図４のようにマッサージプレート７が接近するときも、常に緊張状態を保ち、溝３の開口部とマッサージプレート７の間に指が挟まれるのを防ぐ。
【００２１】
１対のマッサージプレート７の上部間には弾性ストラップ１３が張り渡される。弾性ストラップ１３は肉厚のゴムシートまたは合成樹脂シートからなる。弾性ストラップ１３は、図３のように１対のマッサージプレート７が離反状態にあるときでも、やや下方に凸となる形で湾曲している。弾性ストラップ１３は前記カバー２０を突き破って図１の如く溝３の上部に現れる。
【００２２】
マッサージ機１の動作は次の通りである。被施療者はマッサージ機１の後に置いた図示しない椅子に腰を掛け、足先を上方から溝３の中のフットレスト４と弾性ストラップ１３の間の空間に入れる。次いで操作パネル部５の中の操作ボタンを操作して、マッサージ機１の電源をＯＮにし、所望のマッサージコースを選択する。マッサージが開始されると、図示しないモータが水平回転軸６を回転させる。水平回転軸６が回転するにつれ、１対のマッサージプレート７が周期的に接近と離反を繰り返し、足先を両側から圧迫しては解放して、マッサージ効果を生じさせる。また水平回転軸６が１８０°回転する毎に指圧部１０が足裏部を押し、指圧の刺激を与える。
【００２３】
弾性ストラップ１３は、図３及び図５に示す通り、１対のマッサージプレート７が離反状態にあるときでもやや下方に凸となる形で湾曲している。図６に示すように１対のマッサージプレート７が接近すると、弾性ストラップ１３は湾曲の度合いが増し、下方に凸に突き出す度合いが大きくなって行く。図４及び図７に示す、１対のマッサージプレート７が最も接近する時点（その前後の時点も含まれ得る）で、弾性ストラップ１３は足先の甲の部分に接触して甲の部分を下方に圧迫する。これにより、足先の甲の部分に対してもマッサージ効果が生じる。弾性ストラップ１３が足先を十分な力で圧迫するように、弾性ストラップ１３の形状や材質を吟味しておく。
【００２４】
１対のマッサージプレート７が最も接近した時点で、一方の指圧部１０が上を向くようにしておけば、足先は弾性ストラップ１３と指圧部１０により上下から挟まれることになり、相乗的にマッサージ効果が増す。
【００２５】
図７の状態から水平回転軸６の回転が進み、図８の状態になると、マッサージプレート７と弾性ストラップ１３による圧迫が緩み、指圧部１０も足裏から離れる。これよりマッサージ機１は、図３及び図５に示す圧迫休止状態へと向かう。
【００２６】
実施形態の弾性ストラップ１３は、下面すなわち足先圧迫部が平坦であるが、ここに適宜の形状と数の指圧突起を形成することもできる。これにより、足先の甲の部分を一層効果的にマッサージすることができる。
【００２７】
また実施形態はくるぶしから先の足先をマッサージするフットレスト４のみを備えたマッサージ機１であるが、くるぶしから上で膝から下の脚部をマッサージするレッグレストを備えることとしてもよい。また大腿部、腰部、背中部、肩部などをマッサージするマッサージチェアのフットレストとして本発明を実施してもよい。
【００２８】
以上、本発明の実施形態につき説明したが、本発明の範囲はこれに限定されるものではなく、発明の主旨を逸脱しない範囲で種々の変更を加えて実施することができる。
【産業上の利用可能性】
【００２９】
本発明は、足先用のマッサージ機に広く利用可能である。
【符号の説明】
【００３０】
１    マッサージ機
２    筐体
３    溝
４    フットレスト
５    操作パネル部
６    水平回転軸
７    マッサージプレート
１０  指圧部
１２  シールドウェブ
１３  弾性ストラップ
【図１】
2012120656.tif 000003
【図２】
2012120656.tif 000004
【図３】
2012120656.tif 000005
【図４】
2012120656.tif 000006
【図５】
2012120656.tif 000007
【図６】
2012120656.tif 000008
【図７】
2012120656.tif 000009
【図８】
2012120656.tif 000010